(57)【要約】      （修正有）【課題】埋戻し作業で水締めを行う場合であっても隣接する区画への水の流出を防ぎ、溝を複数に区画して効率的に配管埋設工事を行うことが可能な区画仕切具および配管埋設方法を提供することを目的とする。【解決手段】本発明にかかる区画仕切具１００の構成は、地中に掘削した溝に複数の配管３０２を埋設する際に溝を区画する区画仕切具１００であって、配管３０２が挿通される複数の挿通孔１１２ａ・１１４ａを有する管枕１１０（上下管枕１１２・中央管枕１１４）と、管枕１１０の挿通孔１１２ａ・１１４ａの内面と配管３０２との隙間を封止する配管隙間封止部材１２０と、溝の側壁（矢板２０４）と管枕１１０の側面との隙間を封止する側壁隙間封止部材１３０と、を備えることを特徴とする。【選択図】図３
2018204630.tif 000002
【特許請求の範囲】
【請求項１】
地中に掘削した溝に複数の配管を埋設する際に該溝を区画する区画仕切具であって、
前記配管が挿通される複数の挿通孔を有する管枕と、
前記管枕の挿通孔の内面と前記配管との隙間を封止する配管隙間封止部材と、
前記溝の側壁と前記管枕の側面との隙間を封止する側壁隙間封止部材と、
を備えることを特徴とする区画仕切具。
【請求項２】
前記管枕の上方の空間を仕切る仕切板を更に備えることを特徴とする請求項１に記載の区画仕切具。
【請求項３】
地中を掘削して複数の配管を埋設する配管埋設方法であって、
前記配管を埋設する溝を掘削する掘削工程と、
請求項１または２に記載の区画仕切具を用いて配管しながら区画を形成する区画工程と、
埋設材料を投入して水締めをして前記区画を埋め戻す埋戻工程と、
を含み、
前記掘削工程と前記区画工程と前記埋戻工程とをこの順に異なる位置で並行して行うことを特徴とする配管埋設方法。
【請求項４】
前記埋戻工程では、ダンプトラックの荷台の後端に開口幅が前記溝よりも狭い排出治具を設置して、埋設材料をダンプトラックから直接投入することを特徴とする請求項３に記載の配管埋設方法。
【発明の詳細な説明】
【技術分野】
【０００１】
本発明は、地中に掘削した溝に複数の配管を埋設する際に溝を区画する区画仕切具、およびかかる区画仕切具を用いた配管埋設方法に関するものである。
【背景技術】
【０００２】
近年、都市における景観への配慮や安全性という観点から地中配線の普及が進んでいる。地中配線では、地中に配管を埋設し、かかる配管内に電力ケーブルや通信ケーブル等を敷設する。このような工事において用いられる工法の１つとして即日埋設工法が知られている。
【０００３】
即日埋設工法では、まず敷設対象区間の舗装を壊し、舗装の下の土壌を掘削する。そして、掘削した箇所に土止めを設けた後に配管を設置し、掘削した箇所を砂や土等の埋設材料によって埋め戻す。その後、土止めを撤去し、道路を復旧する。このような地中配線に纏わる作業を１日で完了させる工法を即日埋設工法と称する。
【０００４】
即日埋設工法は道路上で交通規制を行い実施する工法であるため、一刻も早い道路解放が求められている。このため、作業効率の向上が求められていて、その１つとして例えば特許文献１の埋め戻し工法を利用することが考えられる。特許文献１の流動化埋め戻し工法では、掘削した溝に区画板を設置することにより、溝を単位作業区間に区画している。特許文献１の埋め戻し工法を利用すれば、単位作業区間ごとに異なる作業を行える。したがって、複数の作業を並行して行うことができ、作業効率の向上を図ることができると考えられる。
【先行技術文献】
【特許文献】
【０００５】
【特許文献１】特開平１１−２１７８３２号公報
【発明の概要】
【発明が解決しようとする課題】
【０００６】
ここで配管埋設工事では、１本の配管を埋設する場合と、複数本の配管を埋設する場合とがある。前者の場合、埋戻し作業では、溝内に配管を配置した後に埋設材料を投入し、埋設材料を上から押し固める。一方、後者の場合、埋設材料を投入した後に単に押し固めただけであると、複数本の配管の間に埋設材料が入りきらず、隙間が生じることが懸念される。このため、複数本の配管を埋設する際には、埋設材料を投入して水締めを行った後に、埋設材料を押し固める。
【０００７】
特許文献１では、掘削工程で得た掘削土を水および固化剤と混合することによって生成した流動化処理土を溝に流し込む。このような流動化処理土はある程度の粘度を有する。このため、特許文献１のように配管と下部との間に隙間がある流出規制板であっても、隣接する区画への埋設材料すなわち流動化処理土の流出を好適防ぐことができると考えられる。
【０００８】
しかしながら、複数本の配管を埋設する際に行われる水締めに用いられる水は、ほぼ粘度を有さない。このため、特許文献１の流出規制板のように下部に配管との隙間が存在すると、隣接する区画に水が流出してしまう。したがって、埋戻し作業に水締めが含まれる場合には、特許文献１の技術を単に適用することができず、更なる改良が必要であった。
【０００９】
本発明は、このような課題に鑑み、埋戻し作業で水締めを行う場合であっても隣接する区画への水の流出を防ぎ、溝を複数に区画して効率的に配管埋設工事を行うことが可能な区画仕切具および配管埋設方法を提供することを目的とする。
【課題を解決するための手段】
【００１０】
上記課題を解決するために、本発明にかかる区画仕切具の代表的な構成は、地中に掘削した溝に複数の配管を埋設する際に溝を区画する区画仕切具であって、配管が挿通される複数の挿通孔を有する管枕と、管枕の挿通孔の内面と配管との隙間を封止する配管隙間封止部材と、溝の側壁と管枕の側面との隙間を封止する側壁隙間封止部材と、を備えることを特徴とする。
【００１１】
上記構成によれば、管枕と配管との隙間が配管隙間封止部材によって封止され、溝の側壁と管枕との側面との隙間が側壁隙間封止部材によって封止される。このため、埋戻し作業時の水締めに用いた水の隣接する区画への流出を好適に防ぐことができる。これにより、溝を複数の区画に区画して異なる作業を区画ごとに並行して行うことが可能となる。したがって、配管埋設工事における作業時間の短縮を図ることができる。
【００１２】
上記管枕の上方の空間を仕切る仕切板を更に備えるとよい。かかる構成によれば、溝内において管枕よりも上方の空間を仕切ることができる。これにより、管枕よりも上方の空間における隣接した区画への埋設材料の流れ込みを好適に防ぐことができ、作業効率をより高めることが可能となる。
【００１３】
上記課題を解決するために、本発明にかかる配管埋設方法の代表的な構成は、地中を掘削して複数の配管を埋設する配管埋設方法であって、配管を埋設する溝を掘削する掘削工程と、上記の区画仕切具を用いて配管しながら区画を形成する区画工程と、埋設材料を投入して水締めをして区画を埋め戻す埋戻工程と、を含み、掘削工程と区画工程と埋戻工程とをこの順に異なる位置で並行して行うことを特徴とする。
【００１４】
上述した区画仕切具における技術的思想に対応する構成要素やその説明は、当該配管埋設方法にも適用される。また上述した区画仕切具を用いることにより、水締め時の隣接区間への水の流出が防止させる。したがって、区画工程において溝を区画しながら、隣接する区間での掘削作業と埋戻作業とを並行して行うことができる。これにより、配管埋設工事の作業効率を高めることが可能となる。
【００１５】
上記埋戻工程では、ダンプトラックの荷台の後端に開口幅が溝よりも狭い排出治具を設置して、埋設材料をダンプトラックから直接投入するとよい。これにより、従来は掘削工程および埋戻工程に用いられていたバックホウを掘削作業のみに専念させることができる。したがって、掘削工程および埋戻工程を並行して行いやすくなり、配管埋設工事の作業効率を更に高めることが可能となる。
【発明の効果】
【００１６】
本発明によれば、埋戻し作業で水締めを行う場合であっても隣接する区画への水の流出を防ぎ、溝を複数に区画して効率的に配管埋設工事を行うことが可能な区画仕切具および配管埋設方法を提供することができる。
【図面の簡単な説明】
【００１７】
【図１】本実施形態にかかる配管埋設方法について説明する図である。
【図２】本実施形態にかかる配管埋設方法について説明する図である。
【図３】本実施形態にかかる区画仕切具を説明する図である。
【図４】ダンプトラックの荷台に取り付けられる排出治具を説明する図である。
【図５】排出治具の詳細を説明する図である。
【図６】排出治具を用いた埋戻工程について説明する図である。
【発明を実施するための形態】
【００１８】
以下に添付図面を参照しながら、本発明の好適な実施形態について詳細に説明する。かかる実施形態に示す寸法、材料、その他具体的な数値等は、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１９】
図１および図２は、本実施形態にかかる配管埋設方法について説明する図である。なお、理解を容易にするために、図１では、左側に、配管３０２の側方から溝３２０の内部を観察した断面図、右側に、配管３０２の正面から溝３２０の内部を観察した断面図を示している。また、以下の実施形態では、配管埋設方法について詳述しながら、併せて本実施形態の区画仕切具１００についても説明する。
【００２０】
本実施形態にかかる配管埋設方法では、地中２０２を掘削し、掘削した箇所に複数の配管３０２を埋設する。まずバックホウ３００によって地中２０２を掘削し、図１（ａ）に示すように配管３０２（図１（ｃ）参照）を埋設する溝３２０を形成する（掘削工程）。そして、図１（ｂ）に示すように、溝３２０の側壁に沿って矢板２０４を配置し、土止めを行う（土止め工程）。次に、図１（ｃ）に示すように、本実施形態の区画仕切具１００を溝３２０内に配置し、かかる区画仕切具１００を用いて配管しながら溝内において区画を形成する（区画工程）。
【００２１】
図３は、本実施形態にかかる区画仕切具１００を説明する図である。図３（ａ）は、区画仕切具１００を分解した状態の斜視図であり、図３（ｂ）は、区画仕切具１００を溝３２０に設置した状態の拡大図である。図３（ａ）および（ｂ）に示す区画仕切具１００は、地中に掘削した溝３２０に複数の配管３０２を埋設する際に溝３２０を区画する。本実施形態の区画仕切具１００は、管枕１１０、配管隙間封止部材１２０および側壁隙間封止部材１３０を含んで構成される。
【００２２】
図３（ａ）に示すように、管枕１１０は、２つの上下管枕１１２および中央管枕１１４を含んで構成される。上下管枕１１２には、配管３０２と当接する側に半円状の挿通孔１１２ａが複数形成されていて、中央管枕１１４には、上側および下側の両方に半円状の挿通孔１１４ａが複数形成されている。
【００２３】
配管３０２を設置する際には、まず下側の上下管枕１１２の挿通孔１１４ａに下段の配管３０２を配置し、下段の配管３０２の上に中央管枕１１４を配置する。その後、中央管枕１１４の上側の挿通孔１１４ａに上段の配管３０２を配置する。そして上段の配管３０２の上に上側の上下管枕１１２を配置する。これにより、図３（ｂ）に示すように、上下管枕１１２および中央管枕１１４の半円状の挿通孔１１２ａ・１１４ａが組み合って、かかる挿通孔１１２ａ・１１４ａに複数の配管３０２（本実施形態では４本の配管３０２を例示）が挿通された状態となる。
【００２４】
また図３（ａ）に示すように、本実施形態の区画仕切具１００では、管枕１１０、すなわち上下管枕１１２および中央管枕１１４の挿通孔１１２ａ・１１４ａの内側には配管隙間封止部材１２０が配置される。これにより、管枕１１０の挿通孔１１２ａ・１１４ａの内面と配管３０２との隙間が封止され、かかる隙間を通じた水の漏れを好適に防ぐことができる。配管隙間封止部材１２０としては、例えばプレート状のゴム製の部材を好適に用いることができるが、これに限定するものではなく、他の既知の部材を用いることも可能である。
【００２５】
更に図３（ｂ）に示すように、管枕１１０の側面と溝３２０の側壁（厳密には矢板２０４）との間には側壁隙間封止部材１３０が配置される。これにより、管枕１１０と溝３２０との隙間が封止され、かかる隙間を通じた水の漏れを好適に防ぐことができる。側壁隙間封止部材１３０としては、例えば土嚢を好適に用いることができるが、これに限定するものではなく、他の既知の部材を用いることも可能である。
【００２６】
また図３（ａ）および（ｂ）に示すように、本実施形態の区画仕切具１００では、管枕１１０の上方の空間を仕切る仕切板１４０を設けている。仕切板１４０は２枚の板からなり、重ね合わせる幅をずらすことによって仕切板１４０の幅を変更し、溝３２０の全幅を塞ぐことができる。これにより、溝３２０内において管枕１１０よりも上方の空間を仕切ることができる。したがって、管枕１１０よりも上方の空間における隣接した区画への埋設材料の流れ込みを好適に防ぐことができ、作業効率をより高めることが可能となる。なお、本実施形態では、区画仕切具１００が仕切板１４０を備える構成を例示したが、これに限定するものではなく、仕切板１４０を設けない構成とすることも可能である。
【００２７】
図２を参照する。図１（ｃ）に示すように区画仕切具１００を用いて配管３０２を設置しながら溝３２０を区画Ｓ１に区画したら、図２（ａ）に示すように、溝３２０の区画Ｓ１内に埋設材料を投入して水締めを行い、区画Ｓ１を埋め戻す（埋戻工程）。このとき本実施形態では、上述したように区画仕切具１００の配管隙間封止部材１２０および側壁隙間封止部材１３０によって配管３０２や溝３２０の側壁（矢板２０４）との隙間が封止されている。したがって、区画Ｓ１の外側への水締め時の水の流出を好適に防ぐことができる。また区画仕切具１００が仕切板１４０を備えているため、管枕１１０よりも上方の空間において区画Ｓ１の外側への埋設材料の流れ込みも好適に防がれる。
【００２８】
そして、上述したように埋戻工程を行っている際の区画外への水の流出が防げることにより、本実施形態の配管埋設方法では、埋設工程を行っている区間に隣接する領域において区画工程を行うことができる。詳細には、図２（ｂ）に示すように、区画Ｓ１において埋戻工程を行っている間、隣接する領域の溝３２０を区画Ｓ２に区画する区画工程（配管および区画仕切具１００の設置）が行われる。
【００２９】
そして、区画工程を行っている区間に隣接する領域では掘削工程が行われる。したがって、本実施形態の配管埋設方法によれば、掘削工程と区画工程と埋戻工程とをこの順番に異なる位置で並行して行うことができ、配管埋設工事の作業効率を高めることが可能となる。
【００３０】
図４は、ダンプトラックの荷台２１０に取り付けられる排出治具４００を説明する図である。上述した埋戻工程では、埋設材料をダンプトラック２００から直接投入することが好ましい。そこで本実施形態の配管埋設方法では、ダンプトラック２００の荷台２１０の後端に、開口幅を溝よりも狭くなるように調節する排出治具４００を設置している。
【００３１】
詳細には、図４に示すように、ダンプトラック２００の後部には、上方に向かって傾斜可能な荷台２１０が設けられている。荷台２１０は、前板２１２、底板２１４、左右一対の側板２２０ａ・２２０ｂおよびあおり板２３０を含んで構成される。
【００３２】
底板２１４の左右両側には、側板２２０ａ・２２０ｂがそれぞれ取り付けられている。側板２２０ａ・２２０ｂの後端にはあおり板２３０が取り付けられる。詳細には、側板２２０ａ・２２０ｂの後端の上部には側板側接続部２２２ａ・２２２ｂがそれぞれ設けられている。あおり板２３０の左右両端の上部にはあおり板側接続部２３２ａ・２３２ｂがそれぞれ設けられている。これらの側板側接続部２２２ａ・２２２ｂとあおり板側接続部２３２ａ・２３２ｂとを接続することにより、側板２２０ａ・２２０ｂの後端にあおり板２３０が上端を中心として回動可能に取り付けられる。
【００３３】
上述した荷台２１０には埋設材料（不図示）が積載される。埋設材料としては、土、砂利、砕石等の土砂を例示することできる。図４に示すように荷台２１０を傾斜させた状態であおり板２３０を開くように回動させることにより、荷台２１０の側板２２０ａ・２２０ｂの後端とあおり板２３０との間から埋設材料が排出される。そして荷台２１０には、次に述べる排出治具４００が取り付けられる。
【００３４】
図５は、排出治具４００の詳細を説明する図である。図２に示す排出治具４００は、荷台２１０に積載された埋設材料を排出する幅を制限するための治具である。図５に示すように、排出治具４００は、一対の脚材４１０ａ・４１０ｂ、一対の板材４２０ａ・４２０ｂ、連結材４３０および脱落防止部材４４０を含んで構成される。一対の脚材４１０ａ・４１０ｂは、荷台２１０の左右の側板２２０ａ・２２０ｂそれぞれに沿って配置される部材である。
【００３５】
連結材４３０は、一対の板材４２０ａ・４２０ｂの車両後方側の後端の開口部を固定する部材である。連結材１３０は棒状の部材であって、右側の板材４２０ｂと連結される側には１つの右側連結部４３２を有し、左側の板材４２０ａと連結される側には、複数（本実施形態では３つを例示）の左側連結部４３４ａ・左側連結部４３４ｂ・左側連結部４３４ｃを有する。
【００３６】
図５に示すように、脱落防止部材４４０は、荷台２１０の左右の側板２２０ａ・２２０ｂの後端に差し渡され、排出治具４００が荷台の後方に脱落することを防止する。詳細には、脱落防止部材４４０は、棒状部４４２と、棒状部４４２の両端それぞれに固定される一対の係止部４４４ａ・４４４ｂを含んで構成される。係止部４４４ａ・４４４ｂはＬ字状の部材であり、側板２２０ａ・２２０ｂの側板側接続部２２２ａ・２２２ｂに係止される。これにより、係止部４４４ａ・４４４ｂを介して脱落防止部材４４０が左右の側板２２０ａ・２２０ｂの間に差し渡された状態となる。
【００３７】
図４に示すように荷台２１０を傾斜させた状態において、図５に示すように排出治具４００の脚材４１０ａ・４１０ｂおよび板材４２０ａ・４２０ｂの車両後方側の端部は脱落防止部材１４０に当接する。これにより、荷台２１０を傾斜させて埋設材料を排出する際、埋設材料の重みによって排出治具４００に対して下方に向かう荷重がかかっても、脚材４１０ａ・４１０ｂおよび板材４２０ａ・４２０ｂの車両後方側の端部が脱落防止部材４４０に当接する。したがって、荷台２１０の外側、すなわち側板２２０ａ・２２０ｂの下端よりも下方への排出治具４００のずれ（脱落）を防ぎ、排出治具４００をダンプトラック２００の荷台２１０に安定して取り付けることができる。
【００３８】
上述したように、荷台２１０を傾斜させ、あおり板２３０を開くように回動させると、荷台２１０に積載された埋設材料が排出される。このとき、荷台２１０に排出治具４００が取り付けられていることにより、埋設材料を排出する幅は、荷台２１０の車幅方向の幅ではなく、連結材４３０の開口の幅Ｗ（図１参照）となる。
【００３９】
図６は上述した排出治具１００を用いた埋戻工程について説明する図である。配管３０２を埋設するための溝３２０は、掘削区画、配管区画、埋戻区画に分けられている。掘削区画では、バックホウ３００によって溝３２０を掘削する掘削工程が行われている。配管区画では、作業員３３０が配管３１０を設置し、区画仕切具１００を設置して埋戻区画との境界（型枠）を形成する区画工程が行われている。
【００４０】
そして埋戻区画においては、図５に示すように作業現場において荷台２１０を傾斜させ、荷台２１０のあおり板２３０を開状態として排出治具４００の開口から埋設材料を排出する埋戻工程が行われている。このとき、荷台２１０に上述した排出治具４００が取り付けられていることにより、埋設材料は、荷台２１０の全幅ではなく、板材１２０ａ、１２０ｂの開口のみから排出される（図４参照）。
【００４１】
上記構成によれば、掘削箇所（溝３２０）の周囲に埋設材料を飛散させることなく、ダンプトラック２００から埋設材料を掘削箇所に直接投入することができる。したがって、従来は掘削工程および埋戻工程に用いられていたバックホウ３００を掘削作業に専念させることができる。これにより、掘削作業、配管作業、および埋戻作業を並行して行いやすくなり、配管埋設工事の作業効率を高め、作業時間の短縮を図ることが可能となる。
【００４２】
なお、上述したように埋設材料を投入して溝を埋め戻した後には、矢板２０４を撤去する矢板撤去工程が行われる。この矢板撤去工程では、エンジン用クレーン（不図示）を用いて矢板２０４を撤去するとよい。これにより、従来は矢板撤去工程にも用いられていたバックホウを掘削作業に専念させることができる。これにより、配管埋設工事に纏わる上述した作業を並行して行いやすくなり、作業効率の向上ひいては作業時間の短縮を図ることが可能となる。
【産業上の利用可能性】
【００４３】
本発明は、地中に掘削した溝に複数の配管を埋設する際に溝を区画する区画仕切具、およびかかる区画仕切具を用いた配管埋設方法に利用することができる。
【符号の説明】
【００４４】
１００…区画仕切具、１１０…管枕、１１２…上下管枕、１１２ａ…挿通孔、１１４…中央管枕、１１４ａ…挿通孔、１２０…配管隙間封止部材、１３０…側壁隙間封止部材、１４０…仕切板、２００…ダンプトラック、２０４…矢板、２１０…荷台、２１２…前板、２１４…底板、２２０ａ…側板、２２０ｂ…側板、２２２ａ…側板側接続部、２２２ｂ…側板側接続部、２３０…あおり板、２３２ａ…あおり板側接続部、２３２ｂ…あおり板側接続部、３０２…配管、３２０…溝、３３０…作業員、４００…排出治具、４１０ａ…脚材、４１０ｂ…脚材、４２０ａ…板材、４２０ｂ…板材、４３０…連結材、４４０…脱落防止部材、４４２…棒状部、４４４ａ…係止部、４４４ｂ…係止部
【図１】
2018204630.tif 000003
【図２】
2018204630.tif 000004
【図３】
2018204630.tif 000005
【図４】
2018204630.tif 000006
【図５】
2018204630.tif 000007
【図６】
2018204630.tif 000008